(57)【要約】【課題】本発明は各種音響機器および情報通信機器に使用されるスピーカに関するものであり、小型化を維持しつつ高音圧化対応を実現することを目的とする。【解決手段】本発明のスピーカは、少なくとも２個の棒状マグネット２１を有し、上部プレートと下部プレートから構成される磁気ギャップに直線部を有する外磁型の磁気回路構成とすることで、磁気回路の熱容量の向上と、ボイスコイルの放熱性の向上、高音圧化対応およびスピーカの生産性の向上を図ったものである。また、外磁型の磁気回路の構成により、磁気回路の熱容量の向上と、ボイスコイルの放熱性の向上を図ったものである。【選択図】  図１
2004266337.tif 000002
【特許請求の範囲】
【請求項１】
少なくとも２個の棒状マグネットを上部プレートと下部プレートとで前記下部プレートに設けた棒状のセンターポール部をはさんで平行に挟持した磁気回路と、この磁気回路に結合されたフレームと、このフレームの外周部に結合された振動板と、この振動板に結合されるとともに、その一部が前記磁気回路の磁気ギャップ内に配置されたボイスコイルとからなるスピーカであって、前記上部プレートと前記下部プレートから構成された磁気ギャップの形状が少なくとも平行な２つの直線部を有したスピーカ。
【請求項２】
上部プレートの磁気ギャップ窓形状が角型形状である請求項１記載のスピーカ。
【請求項３】
上部プレートの磁気ギャップ窓形状がトラック型形状である請求項１記載のスピーカ。
【請求項４】
上記プレートの磁気ギャップ窓形状が２本の直線形状である請求項１記載のスピーカ。
【請求項５】
磁気回路の外形形状が角型形状である請求項１記載のスピーカ。
【請求項６】
磁気回路の外形形状がトラック型形状である請求項１記載のスピーカ。
【請求項７】
上部プレートを２分割して構成した請求項１記載のスピーカ。
【請求項８】
下部プレートを平面方向に２分割して構成した請求項１記載のスピーカ。
【請求項９】
下部プレートをシート状の金属体を折り曲げ加工して構成した請求項１記載のスピーカ。
【請求項１０】
下部プレートを厚み方向に２分割して構成した請求項１記載のスピーカ。
【請求項１１】
上部プレートの一部に段差を設け、この段差とフレームとの隙間からボイスコイルのリード線を引き出した請求項１記載のスピーカ。
【請求項１２】
上部プレートをシート状の金属体を折り曲げ加工して構成した請求項１記載のスピーカ。
【請求項１３】
上部プレートの外周に突起を設け、この突起をインサート成形によりフレームと結合した請求項１記載のスピーカ。
【発明の詳細な説明】
【０００１】
【発明の属する技術分野】
本発明は各種音響機器および情報通信機器に使用されるスピーカに関するものである。
【０００２】
【従来の技術】
携帯電話の小型化や高音圧化に対応するため、近年角型やトラック型というスリムタイプのスピーカが注目されつつある。そのため、磁気回路を角型形状に構成し、磁気回路についてもスペースファクターを向上させようとしているものが多い。
【０００３】
また、これらの磁気回路は内磁型構造を使用しているものが一般的な構成方法である。さらに、高音圧化に対応するために、磁気エネルギーの大きいマグネットを使用することが多い。
【０００４】
従来のスピーカについて図１３により説明する。
【０００５】
図１３は従来のスピーカの断面図を示したものである。図１３によると、角型のマグネット１をヨーク３と上部プレート２により挟持して磁気回路４を構成している。この磁気回路４のヨーク３を接触させながらフレーム６に磁気回路４を圧入して接触面に接着剤を塗布して結合している。そして、このフレーム６の周縁部に振動板７を接着し、この振動板７にこれを駆動させるためのボイスコイル８を結合し、このボイスコイル８を磁気ギャップ５にはまり込むように結合していた。
【０００６】
尚、この出願の発明に関連する先行技術文献情報としては、例えば、特許文献１が知られている。
【０００７】
【特許文献１】
特開昭５９−１９３６９９号公報
【０００８】
【発明が解決しようとする課題】
上述のスピーカは、磁気エネルギーの大きいマグネットを使用して、磁気回路は内磁型構造として構成している。
【０００９】
ところが、最近の市場動向として、さらなる高音圧化対応が要求されつつある。この場合、上述のスピーカは、既に磁気エネルギーの大きいマグネットを使用しており、内磁型の磁気回路構造として構成している。よって、マグネットの材質向上による磁気エネルギーの向上は既に限界に達しており、マグネットの体積拡大による磁気エネルギーの向上しか手段は残されていない。ところが、市場要求として小型化が要求されている以上、内磁型の磁気回路構造上、マグネットの体積拡大はボイスコイルの寸法拡大もしくはスピーカの高さ寸法拡大が必要であり、小型化要求が満足できないという課題を抱えるものであった。
【００１０】
本発明は、上記課題を解決するもので、小型化を維持しつつ高音圧化対応を実現できる優れたスピーカを提供するものである。
【００１１】
【課題を解決するための手段】
上記課題を解決するために、本発明は以下の構成を有する。
【００１２】
本発明の請求項１に記載の発明は、少なくとも２個の棒状マグネットを上部プレートと下部プレートとで前記下部プレートに設けた棒状のセンターポール部をはさんで平行に挟持して外磁型の磁気回路を構成し、この磁気回路から構成された磁気ギャップ形状が平行な２つの直線部を有した形状とし、この磁気回路にフレームを結合し、このフレームの外周部に結合された振動板と、この振動板に結合されるとともに、その一部が前記磁気回路の磁気ギャップに配置されたボイスコイルとでスピーカを構成したものである。この構成により、スペースの有効利用で小型化を維持しつつ、複数のマグネットによる大きな磁気エネルギーを得ることができ、高音圧化対応を実現することができる。また、外磁型の磁気回路の構成により、磁気回路の熱容量の向上と、ボイスコイルの放熱性の向上を実現する効果も有している。
【００１３】
本発明の請求項２に記載の発明は、請求項１記載の発明において、上部プレートの磁気ギャップ窓形状を角型形状から構成したものである。この構成により、スペースの有効利用でさらなる小型化対応を実現することができる。
【００１４】
本発明の請求項３に記載の発明は、請求項１記載の発明において、上部プレートの磁気ギャップ窓形状をトラック型形状から構成したものである。この構成により、スペースの有効利用でのさらなる小型化対応とボイスコイルの生産性の向上の両立を図ることができる。
【００１５】
本発明の請求項４に記載の発明は、請求項１記載の発明において、上部プレートの磁気ギャップ窓形状が２本の直線形状から構成したものである。この構成により、磁気回路の材料効率の向上と生産性の向上を図ることができる。
【００１６】
本発明の請求項５に記載の発明は、請求項１記載の発明において、磁気回路の外形形状が角型形状から構成したものである。この構成により、磁気回路のスペースファクターの向上を図ることができる。
【００１７】
本発明の請求項６に記載の発明は、請求項１記載の発明において、磁気回路の外形形状がトラック型形状から構成したものである。この構成により、磁気回路のスペースファクターの向上を図ることができる。
【００１８】
本発明の請求項７に記載の発明は、請求項１記載の発明において、上部プレートを２分割して磁気回路を構成したものである。この構成により、磁気回路の材料効率の向上と生産性の向上を図ることができる。
【００１９】
本発明の請求項８に記載の発明は、請求項１記載の発明において、下部プレートを平面方向に２分割して磁気回路を構成したものである。この構成により、磁気回路の材料効率の向上と生産性の向上を図ることができる。
【００２０】
本発明の請求項９に記載の発明は、請求項１記載の発明において、下部プレートをシート状の金属体を折り曲げ加工して構成したものである。この構成により、磁気回路の材料効率の向上と生産性の向上を図ることができる。
【００２１】
本発明の請求項１０に記載の発明は、請求項１記載の発明において、下部プレートを厚み方向に２分割して磁気回路を構成したものである。この構成により、磁気回路の材料効率の向上と生産性の向上を図ることができる。
【００２２】
本発明の請求項１１に記載の発明は、請求項１記載の発明において、上部プレートの一部に段差を設け、この段差とフレームとの隙間からボイスコイルのリード線を引き出すように構成したものである。この構成により、ボイスコイルのリード線の干渉防止による信頼性の向上と生産性の向上を図ることができる。
【００２３】
本発明の請求項１２に記載の発明は、請求項１記載の発明において、上部プレートをシート状の金属体を折り曲げ加工して構成したものである。この構成により、磁気回路の強度向上を図ることができる。
【００２４】
本発明の請求項１３に記載の発明は、請求項１記載の発明において、上部プレートの外周に突起を設け、この突起をインサート成形によりフレームと結合して構成したものである。この構成により、スピーカの生産性の向上を図ることができる。
【００２５】
【発明の実施の形態】
以下、本発明の実施の形態について図面を用いて説明する。なお、各実施の形態の説明については、実施の形態１と同様のものはその説明を省略しながら説明する。
【００２６】
（実施の形態１）
以下、実施の形態１を用いて、本発明の特に請求項１、請求項２および請求項５に記載の発明について説明する。図１は、本発明の実施の形態１のスピーカの構成部品を示す外観斜視図であり、図２はそのスピーカの断面図、図３はその磁気回路の外観斜視図を示したものである。
【００２７】
図１、図２および図３によると、２個の棒状マグネット２１を角型の上部プレート２２と角型の下部プレート２３とで挟持して磁気回路２４を構成している。この磁気回路２４は下部プレート２３に設けた棒状のセンターポール部２３ａをはさんでマグネット２１が平行に挟持され、上部プレート２２の角型形状の磁気ギャップ窓２２ａ内にポールピース部２３ａが内在する。そのため、ポールピース部２３ａと上部プレート２２間に平行な２つの直線部では磁気ギャップ２５を有する。
【００２８】
この磁気回路２４にフレーム２６を結合し、このフレーム２６の外周部に振動板２７を結合している。そして、この振動板２７にボイスコイル２８を結合し、このボイスコイル２８の一部が前記磁気回路２４の磁気ギャップ２５内に配置している。このフレーム２６の外周部には振動板２７を覆うようにプロテクタ２９を結合している。
【００２９】
ここで、このスピーカは、２個の棒状マグネット２１を有し、その磁気ギャップ２５に直線部を有する外磁型の磁気回路の構成となっているため、スペースの有効利用で小型化を維持しつつ、複数のマグネット２１による大きな磁気エネルギーを得ることができ、高音圧化対応を実現することができる。
【００３０】
また、外磁型の磁気回路の構成により、磁気回路２４の熱容量の向上と、ボイスコイル２８の放熱性の向上を実現することができる。
【００３１】
（実施の形態２）
以下、実施の形態２を用いて、本発明の特に請求項３に記載の発明について説明する。
【００３２】
図４は、本発明の実施の形態２の磁気回路の外観斜視図を示したものである。
【００３３】
図４によると、２個の棒状マグネット２１を、トラック型の磁気ギャップ窓２２ｂを有する上部プレート２２と、棒状でトラック型のセンターポール２３ｂ外形を有する下部プレート２３とで挟持して磁気回路２４を構成している。この構成により、磁気ギャップ２５をトラック型の形状として構成したものである。
【００３４】
これにより、スペースの有効利用でのさらなる小型化対応とボイスコイルの生産性の向上の両立を図ることができる。
【００３５】
詳細説明については、実施の形態１と同様であるため省略する。
【００３６】
（実施の形態３）
以下、実施の形態３を用いて、本発明の特に請求項４と請求項７に記載の発明について説明する。
【００３７】
図５は、本発明の実施の形態３の磁気回路の外観斜視図を示したものである。
【００３８】
図５によると、２個の棒状マグネット２１を、２個の棒状の上部プレート２２と、下部プレート２３とで挟持して磁気回路２４を構成している。
【００３９】
この磁気回路２４は、２個の棒状の上部プレート２２が平行配置されることにより、２本の直線形状の磁気ギャップ窓が形成されることになり、この構成により、磁気回路２４の材料効率の向上と生産性の向上を図ることができる。
【００４０】
詳細説明については、実施の形態１同様であるため省略する。
【００４１】
（実施の形態４）
以下、実施の形態４を用いて、本発明の特に請求項６に記載の発明について説明する。
【００４２】
図６は、本発明の実施の形態４の磁気回路の外観斜視図を示したものである。
【００４３】
図６によると、２個の棒状マグネット２１を、トラック型の外径を有する上部プレート２２と、下部プレート２３とで挟持して磁気回路２４を構成している。上部プレート２２のトラック型の磁気ギャップ窓２２ｃには下部プレート２３のトラック型のセンターポール部２３ｃが内在している。
【００４４】
この構成により、磁気回路２４のスペースファクターの向上を図ることができる。
【００４５】
詳細説明については、実施の形態１同様であるため省略する。
【００４６】
（実施の形態５）
以下、実施の形態５を用いて、本発明の特に請求項８に記載の発明について説明する。
【００４７】
図７は、本発明の実施の形態５の磁気回路の断面図を示したものである。
【００４８】
図７によると、２個の棒状マグネット２１を、上部プレート２２と、平面方向に２分割して構成した下部プレート２３とで挟持して磁気回路２４を構成している。ここで、下部プレート２３は、矩形のプレートを曲げ加工したものを２個接合したものである。
【００４９】
この構成により、金型によるシート材料を抜き工程と曲げ工程により生産することが可能な下部プレート２３を得ることができ、磁気回路２４の材料効率の向上と生産性の向上を図ることができる。
【００５０】
詳細説明については、実施の形態１同様であるため省略する。
【００５１】
（実施の形態６）
以下、実施の形態６を用いて、本発明の特に請求項９に記載の発明について説明する。
【００５２】
図８は、本発明の実施の形態６の磁気回路の断面図を示したものである。
【００５３】
図８によると、２個の棒状マグネット２１を、上部プレート２２と、一枚のシート状の金属体を折り曲げ加工した下部プレート２３で挟持することにより磁気回路２４を構成したものである。
【００５４】
この構成により、磁気回路２４の材料効率の向上と生産性の向上を図ることができる。
【００５５】
詳細説明については、実施の形態１同様であるため省略する。
【００５６】
（実施の形態７）
以下、実施の形態７を用いて、本発明の特に請求項１０に記載の発明について説明する。
【００５７】
図９は、本発明の実施の形態７の磁気回路の断面図を示したものである。
【００５８】
図９によると、２個の棒状マグネット２１を、上部プレート２２と、厚み方向に２分割して構成した下部プレート２３とで挟持して磁気回路２４を構成している。
【００５９】
ここで、下部プレート２３は、平板プレート上に断面矩形の棒状プレートを接合したものであり、この構成により、磁気回路２４の材料効率の向上と生産性の向上を図ることができる。
【００６０】
詳細説明については、実施の形態１同様であるため省略する。
【００６１】
（実施の形態８）
以下、実施の形態８を用いて、本発明の特に請求項１１に記載の発明について説明する。
【００６２】
図１０は、本発明の実施の形態８の磁気回路の外観斜視図を示したものである。
【００６３】
図１０によると、この磁気回路２４の上部プレート２２は、その長手方向の両端に磁気ギャップ窓を含んで折り曲げ部２２ｄを設けることにより、段差を構成し、この段差とフレームとの隙間からボイスコイル２８のリード線２８ａを引き出すように構成したものである。
【００６４】
この構成により、ボイスコイルのリード線の干渉防止による信頼性の向上と生産性の向上を図ることができる。
【００６５】
詳細説明については、実施の形態１同様であるため省略する。
【００６６】
（実施の形態９）
以下、実施の形態９を用いて、本発明の特に請求項１２に記載の発明について説明する。
【００６７】
図１１は、本発明の実施の形態９の磁気回路の外観斜視図を示したものである。
【００６８】
図１１によると、この磁気回路２４の上部プレート２２は、シート状の金属体を折り曲げ加工することにより必要とする機能、例えば位置決めガイド２２ｅや補強リブ等を設けて構成したものである。
【００６９】
この構成により、磁気回路の生産性の向上やプレートの強度の向上、プレートの表面処理時の変形防止等を図ることができる。
【００７０】
詳細説明については、実施の形態１同様であるため省略する。
【００７１】
（実施の形態１０）
以下、実施の形態１０を用いて、本発明の特に請求項１３に記載の発明について説明する。
【００７２】
図１２は、本発明の実施の形態１０のスピーカの断面図を示したものである。
【００７３】
図１２によると、上部プレート２２の外周に突起２２ｆを設け、この突起２２ｆをインサート成形によりフレーム２６と同時成形し、フレーム２６に上部プレート２２を結合して構成したものである。
【００７４】
この構成により、スピーカの生産性の向上を図ることができる。
【００７５】
詳細説明については、実施の形態１同様であるため省略する。
【００７６】
【発明の効果】
以上のように本発明のスピーカは、少なくとも２個の棒状マグネットを有し、その磁気ギャップに直線部を有する外磁型の磁気回路の構成となっているため、スペースの有効利用で小型化を維持しつつ、複数のマグネットによる大きな磁気エネルギーを得ることができ、高音圧化対応を実現することができる。また、外磁型の磁気回路の構成により、磁気回路の熱容量の向上と、ボイスコイルの放熱性の向上を実現することができる。
【００７７】
よって本発明は、高性能、高生産性を実現できる優れたスピーカを提供することができ、その工業的価値は非常に大なるものである。
【図面の簡単な説明】
【図１】本発明の実施の形態１のスピーカの構成部品を示す外観斜視図
【図２】同スピーカの断面図
【図３】同スピーカにおける磁気回路の外観斜視図
【図４】本発明の実施の形態２における磁気回路の外観斜視図
【図５】本発明の実施の形態３における磁気回路の外観斜視図
【図６】本発明の実施の形態４における磁気回路の外観斜視図
【図７】本発明の実施の形態５における磁気回路の断面図
【図８】本発明の実施の形態６における磁気回路の断面図
【図９】本発明の実施の形態７における磁気回路の断面図
【図１０】本発明の実施の形態８における磁気回路の外観斜視図
【図１１】本発明の実施の形態９における磁気回路の外観斜視図
【図１２】本発明の実施の形態１０におけるスピーカの断面図
【図１３】従来のスピーカの断面図
【符号の説明】
２１  マグネット
２２  上部プレート
２３  下部プレート
２４  磁気回路
２５  磁気ギャップ
２６  フレーム
２７  振動板
２８  ボイスコイル
２９  プロテクタ
【図１】
2004266337.tif 000003
【図２】
2004266337.tif 000004
【図３】
2004266337.tif 000005
【図４】
2004266337.tif 000006
【図５】
2004266337.tif 000007
【図６】
2004266337.tif 000008
【図７】
2004266337.tif 000009
【図８】
2004266337.tif 000010
【図９】
2004266337.tif 000011
【図１０】
2004266337.tif 000012
【図１１】
2004266337.tif 000013
【図１２】
2004266337.tif 000014
【図１３】
2004266337.tif 000015